(57)【要約】  本発明は、パッキン設置及び除去用棒、棒保持台、棒固定用ナット、及びねじ溝よりなるパッキン設置及び除去装置と、貫通孔を有するパッキンフランジ、グランドブッシュ、パッキン及びランタンリングを備えるパッキン設置及び除去装置と、これを利用してパッキンを交換する方法を提供する。本発明による装置及び方法を使用すれば、パッキン除去のための特殊装備が必要でなく、駆動部及び弁ディスク部位を分解することなく、パッキン設置及び除去が可能であり、パッキン設置及び除去に必要とされる時間と費用を画期的に低減することができる。【選択図】図２
2013536379.tif 000002
【特許請求の範囲】
【請求項１】
弁において流体漏洩を防止するために弁ディスクのステムに設置されているパッキンを設置及び除去するための装置において、
長い形状を有する複数のの棒３５０と；
前記棒３５０の下端部に連結されるリング形状の保持台３４０と；
前記棒３５０の上部外周面に形成されているねじ溝３７０と；
前記ねじ溝３７０上に締結されるようになっているナット３６０と；を備え、
前記棒３５０に複数ののパッキン３８０が貫通して積層され、グランドブッシュ３２０が前記棒３５０によって貫通され、前記パッキン３８０の上部に配置され、前記保持台３４０は、前記パッキン３８０を支持し、前記ナット３６０は、前記ねじ溝３７０に締結され、前記パッキン３８０及びグランドブッシュ３２０を密着させることを特徴とする弁パッキン設置及び除去装置。
【請求項２】
前記弁は、前記グランドブッシュ３２０の上部に前記ナット３６０を収容することができる収容溝３１０を有するパッキンフランジ３００を備えることを特徴とする請求項１に記載の弁パッキン設置及び除去装置。
【請求項３】
前記保持台３４０は、複数個に分割されていることを特徴とする請求項１に記載の弁パッキン設置及び除去装置。
【請求項４】
前記棒３５０は、円形または多角形の断面を有することを特徴とする請求項１に記載の弁パッキン設置及び除去装置。
【請求項５】
流体漏洩を防止するために設置されている弁パッキンを設置するための方法において、
棒３５０にパッキン３８０を挿入する段階と；
前記棒３５０にグランドブッシュ３２０を挿入する段階と；
棒固定用ナット３６０を締める段階と；
前記グランドブッシュ３２０の上部にパッキンフランジ３００を配置させる段階と；
前記パッキンフランジ上にガイドリング１６、ベルビルワッシャー１５、スタッドナット１７、及びスタッドボルト１３を組立てる段階と；を備えることを特徴とする弁パッキンを設置するための方法。
【請求項６】
流体漏洩を防止するために設置されている弁パッキンを除去するための方法において、
スタッドボルト１７、スタッドナット１３、ベルビルワッシャー１５、及びガイドリング１６を除去する段階と；
パッキンフランジ３００を上部に移動させる段階；
パッキン３８０と結合されているパッキン設置及び除去装置とグランドブッシュ３２０を上部に移動させる段階と；
ナット３６０を除去する段階と；
棒３５０に挿入されているパッキンを脱離する段階と；を備えることを特徴とする弁パッキンを除去するための方法。
【請求項７】
前記グランドブッシュ３２０とボンネット１２との間にリフティング手段を配置させて、グランドブッシュ３２０を持ち上げることを特徴とする請求項５に記載の弁パッキンを除去するための方法。
【発明の詳細な説明】
【技術分野】
【０００１】
本発明は、弁パッキンの設置及び除去のための装置とその方法に関する。より具体的には、本発明は、駆動部及び弁ディスクを分解せず、パッキンを設置し除去することを可能にする装置及びその方法に関する。
【背景技術】
【０００２】
一般的に、ステム（ｓｔｅｍ）の上下運動によってディスク開閉機能を行う弁においてステムの下部は、高圧の蒸気、水、オイルなどの流体内に浸り、ステムの上部は、ステムを移動させるための把持部などに連結され、ステムの下部からステムの外周面を通じて流体が漏洩することを防止するためにパッキンが設けられている。弁の密閉を担当する消耗性部品であるパッキンは、繰り返し的なステムの上下運動によって密閉性が低下するようになる。密閉性が低下するということは、特に原子力発電所で放射能汚染が誘発され得ることを意味するものであり、このような汚染を防止する状態で、密閉力が低下したパッキンを効率的に交換するための装置に対する必要性が提起されてきた。
【０００３】
図１は、従来技術による弁を示す断面図である。理解を助けるために、パッキン４３０の部分は、側面図で示されている。当該分野の熟練者に既に周知慣用的技術である従来技術による弁の個別的な部材に対する具体的な説明は、本明細書では省略する。
【０００４】
従来技術の弁において、パッキン４３０を除去するための方法は、２つである。スタッドボルト４１７、スタッドナット４１３、ガイドブッシュ４１４、ベルビルワッシャー４１５、ガイドリング４１６、パッキンフランジ４６０、及びグランドブッシュ４２０をすべて除去した状態で、パッキン４３０を交換する第一の方法と、スタッドボルト４１７、スタッドナット４１３を除去し、ステム４１０を上方に移動させて、ディスク４１１をボンネット４１２に密着させた状態でパッキンを交換する第二の方法である。原子力発電所、精油、化学プラントでは、パッキンを交替する間に、配管内の流体が漏洩してはならないので、第二の方法を使用する。この方法では、スタッドボルト４１７とスタッドナット４１３を除去した後、ステム４１０、パッキンフランジ４６０、及びグランドブッシュ４２０を上方に移動させ、パッキン除去用特殊装置（（ハイドロピック）(hydro pic)）を利用して高圧の水または空気を噴射させて、パッキンを上方に移動させる方法でパッキン４３０を除去する。代案として、ランタンリング４４０と漏洩回収流路４７０を具備し、漏洩物を回収する方式の弁では、ランタンリング４４０も、パッキン４３０と同様に除去することができる。
【０００５】
第二の方法でパッキンを除去する場合、特殊装置設置油路４１８を通じた漏洩を防止するために、流路入口を再溶接するか、堅固に栓を締めることによって、漏洩しないようにしなければならないし、このような漏洩の危険に起因して、原子力発電所または化学プラントに使用される一部弁の場合、パッキン除去用特殊装置を使用せず、弁ディスク４１１を上方に移動させて、弁胴体４１９に密着させて漏洩を防止した後、スタッドボルト４１７とスタッドナット４１３を除去し、ステム４１０、パッキンフランジ４６０、及びグランドブッシュ４２０を上方に移動させて、作業空間を確保した後、パッキン除去機構（図示せず）を利用してパッキン４３０及びランタンリング４４０を抜き取る。この場合、パッキンフランジ４６０、及びグランドブッシュ４２０を上方に移動させて確保することができる作業空間は、非常に狭く、限定されているので、作業が困難であると共に、パッキンの間に絡み合い現象が発生し、パッキンが破壊されるなどパッキンを除去するのに限界があった。また、パッキン除去中に金属材質のパッキン除去ツールがステム４１０にスクラッチを生ずるので、新しいパッキンを設置しても、このスクラッチを通じた微細な漏洩が発生することができた。
【発明の概要】
【発明が解決しようとする課題】
【０００６】
したがって、本発明は、前述のような問題を解決するためになされたもので、その目的は、パッキンの摩耗時に汚染発生なしに一層簡単にパッキンを除去し設置することができる装置及び方法を提供することにある。
【課題を解決するための手段】
【０００７】
上記目的を達成するために、本発明は、パッキン設置及び除去用棒と、棒保持台、棒固定用ナット、及びねじ溝よりなるパッキン設置及び除去装置と、収容溝を有するパッキンフランジ、グランドブッシュ、及びパッキンを備えるパッキン設置及び除去装置と、これを利用してパッキンを交換する方法を提供する。
【発明の効果】
【０００８】
本発明による装置及び方法を使用すれば、パッキン除去のための特殊装備が必要でなく、駆動部及び弁ディスク部位を分解することなく、パッキン設置及び除去が可能であり、パッキン設置及び除去に必要とされる時間と費用を画期的に低減することができる。
【図面の簡単な説明】
【０００９】
【図１】従来技術による弁の断面図である。
【図２】本発明によるパッキン設置及び除去装置が設置されている弁の断面図である。
【図３】本発明によるパッキン設置及び除去装置の斜視図である。
【図４】本発明によるパッキン設置及び除去装置の多様な実施例の斜視図である。
【図５】本発明によるパッキン設置及び除去装置が設置されている弁の断面図である。
【発明を実施するための形態】
【００１０】
以下、本発明の好ましい実施例を添付の図面を参照して詳しく説明する。
図２は、本発明によるパッキン設置及び除去装置が設置されている弁の好ましい実施例を示す断面図である。図２に示されたように、本発明のパッキン設置及び除去装置は、パッキンリング設置及び除去を容易にするパッキン設置及び除去用棒３５０、パッキン設置及び除去用棒を支持し、パッキンフォロワーの役目を行う棒保持台３４０、パッキン設置及び除去用棒固定用ナット３６０、該ナットの下部に位置するゴム材質の密封シール３６１、固定用ナット締めのための棒上部のねじ溝３７０を備えるパッキン設置及び除去装置と、パッキン設置及び除去用棒の上部を収容することができる収容溝３１０が形成された構造のパッキンフランジ３００、パッキン設置及び除去用棒３５０の通過空間確保及び棒を固定させるために貫通孔が形成された構造のグランドブッシュ３２０、及びパッキン設置及び除去用棒通過が可能となるように貫通孔が形成された構造のパッキン３８０とランタンリング３９０を備えることを特徴とする。代案として、前記棒３５０は、円形または多角形の断面形状を有することができる。
【００１１】
図２、図３、図４は、本発明のパッキン設置及び除去用棒３５０、棒保持台３４０、棒固定用ナット３６０、棒上部のねじ溝３７０で構成されるパッキン設置及び除去装置の構造を示すものであり、２個以上のパッキン設置及び除去用棒３５０が設けられることができ、棒３５０の上部に固定用ナット３６０を締結することができるねじ溝３７０が設けられることを特徴とする。好ましくは、パッキン設置及び除去装置は、図２に示されたように、円形状、または図３に示されたように、多角形など多様な形態であることができ、棒保持台３４０と棒３５０は、一体型または分離型であることができる。図４に示されたように、棒保持台３４０は、一体式構造または２個以上に分割された構造であることができる。好ましくは、保持台３４０は、２個以上に分割され、ステム１０の上端部に連結されている駆動部を除去することなく、自由に設置及び除去が可能である。
【００１２】
図２、図３、図４に示されたように、パッキンフランジ３００は、パッキン設置及び除去用棒３５０を収容することができるようにフランジ下端に収容溝３１０を設け、グランドブッシュ３２０は、パッキン設置及び除去用棒３５０を収容することができるように、下端から上端まで貫通孔が形成された構造となっていることを特徴とする。
【００１３】
図２、図３、図４に示されたパッキン設置及び除去装置を利用して駆動部を分解せずにパッキン３８０を設置する方法は、スタッドボルト１７、スタッドナット１３、ガイドブッシュ１４、ベルビルワッシャー１５、及びガイドリング１６を除去し、パッキンフランジ３００とグランドブッシュ３２０を上部に移動させ、パッキン設置及び除去用棒３５０、棒保持台３４０、棒固定用ボルト３６０、棒上部のねじ溝３７０で構成されるパッキン設置及び除去装置を設置し、パッキン設置及び制御棒３５０を通過させて、最下端パッキンリングから最上端パッキンリングまで全体パッキン３８０を設置し、パッキン設置及び制御棒３５０を通過させてグランドブッシュ３２０を設置し、ゴム材質の密封シール３６１をパッキン設置及び制御棒３５０と棒固定用ナット３６０との間に挟持し、棒固定用ナット３６０を締め、パッキンフランジ３００をグランドブッシュ３２０の上部に位置させ、ガイドリング１６、ベルビルワッシャー１５、スタッドナット１７、及びスタッドボルト１３を組立てることを特徴とする。
【図１】
2013536379.tif 000003
【図２】
2013536379.tif 000004
【図３】
2013536379.tif 000005
【図４】
2013536379.tif 000006
【図５】
2013536379.tif 000007
【手続補正書】
【提出日】平成25年2月8日(2013.2.8)
【手続補正１】
【補正対象書類名】明細書
【補正対象項目名】全文
【補正方法】変更
【補正の内容】
【発明の詳細な説明】
【技術分野】
【０００１】
本発明は、弁パッキンの設置及び除去のための装置とその方法に関する。より具体的には、本発明は、駆動部及び弁ディスクを分解せず、パッキンを設置し除去することを可能にする装置及びその方法に関する。
【背景技術】
【０００２】
一般的に、ステム（ｓｔｅｍ）の上下運動によってディスク開閉機能を行う弁においてステムの下部は、高圧の蒸気、水、オイルなどの流体内に浸り、ステムの上部は、ステムを移動させるための把持部などに連結され、ステムの下部からステムの外周面を通じて流体が漏洩することを防止するためにパッキンが設けられている。弁の密閉を担当する消耗性部品であるパッキンは、繰り返し的なステムの上下運動によって密閉性が低下するようになる。密閉性が低下するということは、特に原子力発電所で放射能汚染が誘発され得ることを意味するものであり、このような汚染を防止する状態で、密閉力が低下したパッキンを効率的に交換するための装置に対する必要性が提起されてきた。
【０００３】
当該分野の熟練者に既に周知慣用的技術である従来技術による弁の個別的な部材に対する具体的な説明は、本明細書では省略する。
【０００４】
従来技術の弁において、パッキンを除去するための方法は、２つである。スタッドボルト、スタッドナット、ガイドブッシュ、ベルビルワッシャー、ガイドリング、パッキンフランジ、及びグランドブッシュをすべて除去した状態で、パッキンを交換する第一の方法と、スタッドボルト、スタッドナットを除去し、ステムを上方に移動させて、ディスクをボンネットに密着させた状態でパッキンを交換する第二の方法である。原子力発電所、精油、化学プラントでは、パッキンを交替する間に、配管内の流体が漏洩してはならないので、第二の方法を使用する。この方法では、スタッドボルトとスタッドナットを除去した後、ステム、パッキンフランジ、及びグランドブッシュを上方に移動させ、パッキン除去用特殊装置（（ハイドロピック）(hydro pic)）を利用して高圧の水または空気を噴射させて、パッキンを上方に移動させる方法でパッキンを除去する。代案として、ランタンリングと漏洩回収流路を具備し、漏洩物を回収する方式の弁では、ランタンリングも、パッキンと同様に除去することができる。
【０００５】
第二の方法でパッキンを除去する場合、特殊装置設置油路を通じた漏洩を防止するために、流路入口を再溶接するか、堅固に栓を締めることによって、漏洩しないようにしなければならないし、このような漏洩の危険に起因して、原子力発電所または化学プラントに使用される一部弁の場合、パッキン除去用特殊装置を使用せず、弁ディスクを上方に移動させて、弁胴体に密着させて漏洩を防止した後、スタッドボルトとスタッドナットを除去し、ステム、パッキンフランジ、及びグランドブッシュを上方に移動させて、作業空間を確保した後、パッキン除去機構（図示せず）を利用してパッキン及びランタンリングを抜き取る。この場合、パッキンフランジ、及びグランドブッシュを上方に移動させて確保することができる作業空間は、非常に狭く、限定されているので、作業が困難であると共に、パッキンの間に絡み合い現象が発生し、パッキンが破壊されるなどパッキンを除去するのに限界があった。また、パッキン除去中に金属材質のパッキン除去ツールがステムにスクラッチを生ずるので、新しいパッキンを設置しても、このスクラッチを通じた微細な漏洩が発生することができた。
【発明の概要】
【発明が解決しようとする課題】
【０００６】
したがって、本発明は、前述のような問題を解決するためになされたもので、その目的は、パッキンの摩耗時に汚染発生なしに一層簡単にパッキンを除去し設置することができる装置及び方法を提供することにある。
【課題を解決するための手段】
【０００７】
上記目的を達成するために、本発明は、パッキン設置及び除去用棒と、棒保持台、棒固定用ナット、及びねじ溝よりなるパッキン設置及び除去装置と、収容溝を有するパッキンフランジ、グランドブッシュ、及びパッキンを備えるパッキン設置及び除去装置と、これを利用してパッキンを交換する方法を提供する。
【発明の効果】
【０００８】
本発明による装置及び方法を使用すれば、パッキン除去のための特殊装備が必要でなく、駆動部及び弁ディスク部位を分解することなく、パッキン設置及び除去が可能であり、パッキン設置及び除去に必要とされる時間と費用を画期的に低減することができる。
【図面の簡単な説明】
【０００９】
【図１】本発明によるパッキン設置及び除去装置が設置されている弁の断面図である。
【図２】本発明によるパッキン設置及び除去装置の斜視図である。
【図３】本発明によるパッキン設置及び除去装置の斜視図である。
【図４】本発明によるパッキン設置及び除去装置の多様な実施例の斜視図である。
【図５】本発明によるパッキン設置及び除去装置が設置されている弁の断面図である。
【発明を実施するための形態】
【００１０】
以下、本発明の好ましい実施例を添付の図面を参照して詳しく説明する。
図１は、本発明によるパッキン設置及び除去装置が設置されている弁の好ましい実施例を示す断面図である。図１に示されたように、本発明のパッキン設置及び除去装置は、パッキンリング設置及び除去を容易にするパッキン設置及び除去用棒３５０、パッキン設置及び除去用棒を支持し、パッキンフォロワーの役目を行う棒保持台３４０、パッキン設置及び除去用棒固定用ナット３６０、該ナットの下部に位置するゴム材質の密封シール３６１、固定用ナット締めのための棒上部のねじ溝３７０を備えるパッキン設置及び除去装置と、パッキン設置及び除去用棒の上部を収容することができる収容溝３１０が形成された構造のパッキンフランジ３００、パッキン設置及び除去用棒３５０の通過空間確保及び棒を固定させるために貫通孔が形成された構造のグランドブッシュ３２０、及びパッキン設置及び除去用棒通過が可能となるように貫通孔が形成された構造のパッキン３８０とランタンリング３９０を備えることを特徴とする。代案として、前記棒３５０は、円形または多角形の断面形状を有することができる。
【００１１】
図２、図３、図４は、本発明のパッキン設置及び除去用棒３５０、棒保持台３４０、棒固定用ナット３６０、棒上部のねじ溝３７０で構成されるパッキン設置及び除去装置の構造を示すものであり、２個以上のパッキン設置及び除去用棒３５０が設けられることができ、棒３５０の上部に固定用ナット３６０を締結することができるねじ溝３７０が設けられることを特徴とする。好ましくは、パッキン設置及び除去装置は、図２に示されたように、円形状、または図３に示されたように、多角形など多様な形態であることができ、棒保持台３４０と棒３５０は、一体型または分離型であることができる。図４に示されたように、棒保持台３４０は、一体式構造または２個以上に分割された構造であることができる。好ましくは、保持台３４０は、２個以上に分割され、ステム１０の上端部に連結されている駆動部を除去することなく、自由に設置及び除去が可能である。
【００１２】
図２、図３、図４に示されたように、パッキンフランジ３００は、パッキン設置及び除去用棒３５０を収容することができるようにフランジ下端に収容溝３１０を設け、グランドブッシュ３２０は、パッキン設置及び除去用棒３５０を収容することができるように、下端から上端まで貫通孔が形成された構造となっていることを特徴とする。
【００１３】
図２、図３、図４に示されたパッキン設置及び除去装置を利用して駆動部を分解せずにパッキン３８０を設置する方法は、スタッドボルト１７、スタッドナット１３、ガイドブッシュ１４、ベルビルワッシャー１５、及びガイドリング１６を除去し、パッキンフランジ３００とグランドブッシュ３２０を上部に移動させ、パッキン設置及び除去用棒３５０、棒保持台３４０、棒固定用ボルト３６０、棒上部のねじ溝３７０で構成されるパッキン設置及び除去装置を設置し、パッキン設置及び制御棒３５０を通過させて、最下端パッキンリングから最上端パッキンリングまで全体パッキン３８０を設置し、パッキン設置及び制御棒３５０を通過させてグランドブッシュ３２０を設置し、ゴム材質の密封シール３６１をパッキン設置及び制御棒３５０と棒固定用ナット３６０との間に挟持し、棒固定用ナット３６０を締め、パッキンフランジ３００をグランドブッシュ３２０の上部に位置させ、ガイドリング１６、ベルビルワッシャー１５、スタッドナット１３、及びスタッドボルト１７を組立てることを特徴とする。
【国際調査報告】
2013536379.tif 000008
2013536379.tif 000009
2013536379.tif 000010
2013536379.tif 000011